(57)【要約】【課題】楔形の外装ケースを備える場合にあっても、高いスペース効率を有する電池パックを提供する。【解決手段】外装ケース１０では、領域１０ａの方が領域１０ｂよりも内底面同士の対向間隔（Ｚ軸方向の間隔）が広くなっている。第１素電池２１および第２素電池２６の各々は、扁平角形の外観形状を有するとともに、側面の一部が外向きに凸の曲面を以って構成されている。そして、第１素電池２１の厚みが第２素電池２６の厚みよりも厚い。外装ケース１０内において、第１素電池２１と第２素電池２６とは、曲面を以って構成された側面同士が近接して対向する状態であって（矢印Ｂ部分）、また、第１素電池２１が領域１０ａに配置され、第２素電池２６が領域１０ｂに配置されている。【選択図】図６
2014078430.tif 000002
【特許請求の範囲】
【請求項１】
内部に空間が形成されてなる外装ケースと、
前記外装ケース内に収容されてなる第１素電池および第２素電池と、
を備え、
前記外装ケースは、ともに浅皿状の２つのケース部材を有し、当該２つのケース部材の開口同士を突き合わせた状態で構成されており、且つ、前記２つのケース部材の内底面同士の対向間隔が、当該内底面に沿う第１方向の一方端と他方端とで異なっており、
前記第１素電池および前記第２素電池の各々は、扁平角形の外観形状を有するとともに、側面の一部が外向きに凸の曲面を以って構成されており、
前記第１素電池の厚みが前記第２素電池の厚みよりも厚く、
前記外装ケース内の前記空間において、前記第１素電池と前記第２素電池とは、曲面を以って構成された前記側面同士が近接して対向する状態であって、当該対向方向が前記第１方向に沿い、前記第１素電池の方が前記第２素電池よりも前記対向間隔が広い側となるように配置されている
ことを特徴とする電池パック。
【請求項２】
前記内底面に沿い、且つ、前記第１方向に対して直交する方向を第２方向とするとき、
前記第２方向において、前記第１素電池と近接する状態で、前記第１素電池と同一の外観形状を有する第３素電池が対向配置されており、
前記第２方向において、前記第２素電池と近接する状態で、前記第２素電池と同一の外観形状を有する第４素電池が対向配置されており、
前記第１素電池および前記第２素電池および前記第３素電池および前記第４素電池の各々は、側面の一部が平面を以って構成されており、
前記第１素電池と前記第３素電池とは、互いの平面部分同士が対向するように配置され、
前記第２素電池と前記第４素電池とは、互いの平面部分同士が対向するように配置されている
ことを特徴とする請求項１に記載の電池パック。
【請求項３】
さらに、前記外装ケース内の前記空間には、円筒形の第５素電池が収容されており、
前記第１素電池は、側面のうち、前記曲面を以って構成された部分に対向する部分も外向きに凸の曲面を以って構成されており、
前記第５素電池は、その外周径が前記第１素電池の厚みよりも大きく、且つ、外周面が前記第１素電池の前記曲面を以って構成された前記対向する部分に対して近接して対向する状態であって、当該対向方向が前記第１方向に沿い、前記第１素電池よりも前記対向間隔が広い側となるように配置されている
ことを特徴とする請求項１または請求項２に記載の電池パック。
【請求項４】
さらに、前記外装ケース内の前記空間には、前記第１素電池および前記第２素電池に電気的に接続された回路基板が収容されており、
前記回路基板は、前記第１方向において、前記第２素電池よりも前記対向間隔が狭い側に配置されている
ことを特徴とする請求項１から請求項３の何れかに記載の電池パック。
【請求項５】
前記外装ケースは、前記対向間隔が狭い側が先細りとなる先細り部を有しており、
前記外装ケースにおける先細り部内に、前記第１素電池および前記第２素電池に電気的に接続された回路基板が収容されている
ことを特徴とする請求項１から請求項３の何れかに記載の電池パック。
【請求項６】
前記回路基板には、複数の電子部品が実装されており、
前記複数の電子部品は、各部品の高さと前記先細り部内の空間の高さとに応じて、選択的に配置されている
ことを特徴とする請求項５に記載の電池パック。
【請求項７】
前記回路基板は、その基板本体の主面が前記第１方向に対して斜めとなるように配置されている
ことを特徴とする請求項４から請求項６の何れかに記載の電池パック。
【請求項８】
前記２つのケース部材における少なくとも一方の内底面からは、前記空間における前記回路基板が収容された領域と前記第１素電池および前記第２素電池が収容された領域とを区切る仕切り壁が立設されている
ことを特徴とする請求項４から請求項７の何れかに記載の電池パック。
【請求項９】
前記２つのケース部材の少なくとも一方は、一部に窓部が開口されてなる枠体と、前記窓部を塞ぐ状態で貼着されたラベルとの組み合わせを以って構成されている
ことを特徴とする請求項１から請求項８の何れかに記載の電池パック。
【請求項１０】
内部に空間が形成されてなる外装ケースと、
前記外装ケース内に収容されてなる素電池と、
前記外装ケース内に収容され、前記素電池に電気的に接続された回路基板と、
を備え、
前記外装ケースは、ともに浅皿状の２つのケース部材を有し、当該２つのケース部材の開口同士を突き合わせた状態で構成されており、且つ、前記２つのケース部材の内底面同士の対向間隔が、当該内底面に沿う第１方向の一方端が他方端に比べて狭い、先細り部となっており、
前記外装ケースにおける先細り部内に、前記回路基板が収容されている
ことを特徴とする電池パック。
【発明の詳細な説明】
【技術分野】
【０００１】
本発明は、電池パックに関し、特に、外装ケース内における素電池の配置形態に関する。
【背景技術】
【０００２】
電池パックは、複数の素電池を外装ケースの内部空間に収容してなる構成を有する。電池パックは、例えば、ノートブック型パーソナルコンピュータ（以下、「ノートパソコン」と記載する。）やタブレット型パーソナルコンピュータ（以下、タブレットパソコン」と記載する。）などの電源として広く用いられている。
ノートパソコンなどにおいては、装着時にも電池パックにおける外装の一部が外部に露出する構造が多く採用されている。従来では、ノートパソコン自体の厚みが比較的厚かったため、その一部に装着される電池パックの外観形状は、略扁平直方体形状であった。
【０００３】
しかし、近年では、ノートパソコンの薄肉化が求められ、また、タブレットパソコンでは当初から薄肉化が図られた設計となっている。さらに、ノートパソコンなどの薄肉化とともに、機能性やデザイン性などの向上を図る目的から、電池パックを装着した状態での当該装着部分の形状を、単なる扁平直方体形状ではなく、一方の厚みが他方の厚みよりも薄い、所謂、楔形の形状などに設計される傾向にある。
【０００４】
このような装着対象機器のデザイン傾向に合わせて、電池パックについても、その外観形状を、所謂、楔形とすることが求められている。
【先行技術文献】
【特許文献】
【０００５】
【特許文献１】特開２０１１−２０４３９４号公報
【発明の概要】
【発明が解決しようとする課題】
【０００６】
しかしながら、楔状の外観形状の電池パックにおいては、内部空間に収容される一部の素電池と外装ケースの内面との間に大きな空間が空くことになり、スペース効率という観点から改善の余地がある。即ち、従来においては、外観形状が同一の複数の素電池を外装ケース内に収容するのであるが、このときの素電池の外観サイズは、外装ケースにおける内部空間の高さが低い箇所を基準に設定される。このため、外装ケースにおける内部空間の高さが高い箇所では、素電池と外装ケースの内面との間に無駄なスペースが生じることが避けられない。
【０００７】
本発明は、このような問題の解決を図ろうとなされたものであって、楔形の外装ケースを備える場合にあっても、高いスペース効率を有する電池パックを提供することを目的とする。
【課題を解決するための手段】
【０００８】
そこで、本発明は、次の構成を採用することとした。
本発明に係る電池パック（以下、「第１の発明に係る電池パック」と記載することもある。）は、内部に空間が形成されてなる外装ケースと、外装ケース内に収容されてなる第１素電池および第２素電池と、を備える。
外装ケースは、ともに浅皿状の２つのケース部材を有し、当該２つのケース部材の開口同士を突き合わせた状態で構成されており、且つ、２つのケース部材の内底面同士の対向間隔が、当該内底面に沿う第１方向の一方端と他方端とで異なっている。即ち、本発明に係る電池パックの外装ケースは、所謂、少なくとも素電池の収容空間が楔形の形状を有する。
【０００９】
第１素電池および第２素電池の各々は、扁平角形の外観形状を有するとともに、側面の一部が外向きに凸の曲面を以って構成されており、第１素電池の厚みが第２素電池の厚みよりも厚い。
外装ケース内の前記空間において、第１素電池と第２素電池とは、曲面を以って構成された側面同士が近接して対向する状態であって、当該対向方向が第１方向に沿い、第１素電池の方が第２素電池よりも空間における対向間隔が広い側となるように配置されている、ことを特徴とする。
【００１０】
また、本発明に係る電池パック（以下、「第２の発明に係る電池パック」と記載することもある。）は、内部に空間が形成されてなる外装ケースと、外装ケース内に収容されてなる素電池と、外装ケース内に収容され、素電池に電気的に接続された回路基板と、を備える。
外装ケースは、ともに浅皿状の２つのケース部材を有し、当該２つのケース部材の開口同士を突き合わせた状態で構成されており、且つ、２つのケース部材の内底面同士の対向間隔が、当該内底面に沿う第１方向の一方端が他方端に比べて狭い、先細り部となっており、外装ケースにおける先細り部内に、前記回路基板が収容されている、ことを特徴とする。
【発明の効果】
【００１１】
第１の発明に係る電池パックでは、互いに厚みが異なる第１素電池と第２素電池とを備え、厚みが厚い第１素電池を、厚みが薄い第２素電池に対して、外装ケース内の空間における対向間隔が広い側に配置している。これにより、第１素電池を第２素電池と同じ厚みのものとする場合に比べて、外装ケースの内底面と第１素電池の外面との間の隙間を小さくすることができ、その分、電池容量の大きな第１素電池を備えることが可能となる。よって、第１の発明に係る電池パックでは、スペース効率の向上を図ることができる。
【００１２】
また、本発明に係る電池パックでは、第１素電池と第２素電池とが、曲面を以って構成された側面同士が近接して対向するように配置されている。このため、第１素電池と第２素電池とが、平面的ではなく屈曲した状態で互いに配されるような構成を採用することもでき、高いスペース効率を実現しながら設計における自由度を高くすることができる。具体的には、主面（最も面積の広い外面）に対して略直交する平面状の側面同士が対向するようにする場合、第１素電池と第２素電池とが平面状ではなく、屈曲あるいは凹曲面状に配列されるような場合には、本発明の構成の方がより高いスペース効率を得ることができ、また、その際の設計の自由度も高くなる。
【００１３】
従って、本発明に係る電池パックでは、楔形の外装ケースを備える場合にあっても、高いスペース効率を有する。
なお、本発明において「近接」とは、電池パックにおいて使用されるようなシート状の絶縁シートなどが間に介挿される場合に、当該絶縁シートの厚み分、素電池の側面同士が離間している状態を指す。
【００１４】
本発明に係る電池パックでは、次のようなバリエーション構成を採用することができる。
本発明に係る電池パックでは、内底面に沿い、且つ、第１方向に対して直交する方向を第２方向とするとき、第２方向において、第１素電池と近接する状態で、第１素電池と同一の外観形状を有する第３素電池が対向配置されており、同じく第２方向において、第２素電池と近接する状態で、第２素電池と同一の外観形状を有する第４素電池が対向配置されており、第１素電池および第２素電池および第３素電池および第４素電池の各々は、側面の一部が平面を以って構成されており、第１素電池と第３素電池とは、互いの平面部分同士が対向するように配置され、第２素電池と第４素電池とは、互いの平面部分同士が対向するように配置されている、という構成を採用することができる。このように第２方向においては、素電池の平面部分同士が対向することとしても、スペース効率に影響を与えない。なお、この構成においても、第３素電池と第４素電池とは、曲面を以って構成された側面通しが近接して対向することになる。
【００１５】
本発明に係る電池パックでは、さらに、外装ケース内の空間には、円筒形の第５素電池が収容されており、第１素電池は、側面のうち、上記曲面を以って構成された部分に対向する部分も外向きに凸の曲面を以って構成されており、第５素電池は、その外周径が第１素電池の厚みよりも大きく、且つ、外周面が第１素電池の上記曲面を以って構成された上記対向する部分に対して近接して対向する状態であって、当該対向方向が前記第１方向に沿い、第１素電池よりも対向間隔が広い側となるように配置されている、という構成を採用することができる。このように円筒形の第５素電池を更に備える場合にあっても、高いスペース効率を実現することが可能となる。
【００１６】
本発明に係る電池パックでは、さらに、外装ケース内の空間には、第１素電池および第２素電池に電気的に接続された回路基板が収容されており、回路基板は、第１方向において、第２素電池よりも対向間隔が狭い側に配置されている、という構成を採用することができる。このように、素電池に比べて厚みの薄い回路基板を楔形の先端部分（対向間隔の狭い部分）に配置することで、さらなるスペース効率の向上を図ることが可能となる。
【００１７】
本発明に係る電池パックでは、外装ケースにおける上記対向間隔が狭い側が先細りとなる先細り部を有しており、外装ケースにおける先細り部内に、第１素電池および第２素電池に電気的に接続された回路基板が収容されている、という構成を採用することができる。これにより、スペース効率の向上を図ることが可能となる。
そして、本発明に係る電池パックでは、回路基板に複数の電子部品が実装されており、複数の電子部品が、各部品の高さと外装ケースにおける先細り部内の空間の高さとに応じて、選択的に配置されている、という構成を採用することができる。このように複数の電子部品を選択的に配置することで、更なるスペース効率の向上を図ることが可能となる。
【００１８】
本発明に係る電池パックでは、さらに、回路基板は、その基板本体の主面が第１方向に対して斜めとなるように配置されている、という構成を採用することができる。これにより、第１方向に対して水平に配置する場合に比べて、基板が占める第１方向での占有領域を小さくすることができる。なお、回路基板における実装部品について、各領域におけるケース部材の内底面との間の対向間隔に配置形態を規定することが可能である。
【００１９】
本発明に係る電池パックでは、２つのケース部材における少なくとも一方の内底面からは、空間における回路基板が収容された領域と第１素電池および第２素電池が収容された領域とを区切る仕切り壁が立設されている、という構成を採用することができる。このような構成を採用することで、仮に素電池から電解液などの漏出があった場合でも、当該液が回路基板が収容された領域に移動し難く、安全性の確保という観点から優れる。
【００２０】
本発明に係る電池パックでは、２つのケース部材の少なくとも一方は、一部に窓部が開口されてなる枠体と、窓部を塞ぐ状態で貼着されたラベルとの組み合わせを以って構成されている、という構成を採用することができる。これにより、ケース部材におけるラベル部分の厚みを枠体の部分よりも薄くすることができ、当該部分に素電池を配することで、更なるスペース効率の向上を図ることができる。
【００２１】
次に、第２の発明に係る電池パックでは、外装ケースにおける先細り部内に回路基板を収容することとしている。このように外装ケースの一方端が先細り部となった形態を採用する場合にあっては、当該先細り部内に素電池よりも高さが低い回路基板を収容することによって、スペース効率の向上を図ることが可能となる。
【図面の簡単な説明】
【００２２】
【図１】本発明の実施の形態１に係る電池パック１の外観構成を示す模式斜視図である。
【図２】電池パック１を、図１の矢印Ａの方向から見たときの模式側面図である。
【図３】電池パック１の内部構成を示す模式斜視図である。
【図４】電池パック１における素電池２１〜２４，２６〜２９および保護回路３０などの接続形態を示す模式図である。
【図５】（ａ）は、第１素電池２１の外観構成を示す模式斜視図であり、（ｂ）は、第２素電池２６の外観構成を示す模式斜視図である。
【図６】電池パック１のＹ−Ｚ断面における構成を示す模式断面図である。
【図７】図６の矢印Ｂの部分を拡大して示す模式断面図である。
【図８】図６の矢印Ｃの部分を拡大して示す模式断面図である。
【図９】本発明の実施の形態２に係る電池パック２の構成を示す模式断面図である。
【図１０】図９の矢印Ｆの部分を拡大して示す模式断面図である。
【発明を実施するための形態】
【００２３】
以下では、本発明を実施するための形態について、図面を用い説明する。なお、以下で示す具体例は、本発明の構成およびその構成から奏される作用・効果を分かりやすく説明するために用いる一例であって、本発明は、発明の本質とする構成部分以外について、以下の具体例に何ら限定を受けるものではない。
［実施の形態１］
１．電池パック１の外観構成
本発明の実施の形態１に係る電池パック１の外観構成について、図１および図２を用い説明する。
【００２４】
先ず、図１に示すように、電池パック１は、Ｚ軸方向に厚みの薄い扁平形の外観構成を有する。電池パック１では、外装枠体１１，１２と、それらに開口された窓部を塞ぐように貼着された外装ラベル１３，１４とにより外装ケース１０が構成されている。この場合、Ｚ軸方向における分割を考慮して、外装枠体１１と外装ラベル１３との組み合わせ、および外装枠体１２と外装ラベル１４との組み合わせを、それぞれ外装ケース１０のケース部材と見ることができる。
【００２５】
次に、図２に示すように、電池パック１の外装ケース１０を側方（図１における矢印Ａの方向）から見ると、電池パック１の側方シルエットは、単なる長方形状ではなく、所謂、楔形をしており、Ｙ軸方向に領域１０ａ，１０ｂ，１０ｃに分けてみるとき、領域１０ｂが領域１０ａに対してＺ軸方向上向きに反り、領域１０ｃが領域１０ｂに対して更にＺ軸方向上向きに沿った形状となっている。具体的には、領域１０ａにおける外装ケース１０の底面１０ｄに沿う仮想線Ｌ1に対して、領域１０ｂでの底面１０ｆに沿う仮想線Ｌ2が角度θ1をなし、領域１０ｂでの底面１０ｆに沿う仮想線Ｌ2に対して、領域１０ｃでの底面１０ｈに沿う仮想線Ｌ3が角度θ2をなしている。
【００２６】
また、図２に示すように、外装ケース１０の上面１０ｅ，１０ｇ，１０ｉも平面ではなく、各領域１０ａ，１０ｂ，１０ｃ間で段差を有している。そして、領域１０ａにおける厚みＴ1が、領域１０ｂにおける厚みＴ2よりも厚くなっている。
２．電池パック１の内部構成
電池パック１の内部構成について、図３および図４を用い説明する。
【００２７】
図３に示すように、電池パック１では、８つの素電池２１〜２４，２６〜２９と保護回路基板３０とを有している。この内、８つの素電池２１〜２４，２６〜２９は、収納されている領域１０ａ，１０ｂにより２つの群（第１素電池群２０，第２素電池群２５）に分けてみることができる。
第１素電池群２０は、外装ケース１０（図２では、外装枠体１２だけを図示）の領域１０ａにおいて、構成の各第１素電池２１〜２４が、互いの筒軸がＸ軸方向に沿うように直列配置されている。
【００２８】
第２素電池群２５は、外装ケース１０の領域１０ｂにおいて、構成の各第２素電池２６〜２９が、互いの筒軸がＸ軸方向に沿うように直列配置されている。
保護回路基板３０は、楔形の先端部分となる領域１０ｃに収納されている。
図４に示すように、電池パック１における素電池２１〜２４，２６〜２９は、第１素電池２１と第２素電池２６、第１素電池２２と第２素電池２７、第１素電池２３と第２素電池２８、第１素電池２４と第２素電池２９とがそれぞれ並列接続され、互いの対同士が直列接続されている。即ち、本実施の形態に係る電池パック１では、８つの素電池２１〜２４，２６〜２９が２並４直の形態で接続されている。
【００２９】
なお、各素電池２１〜２４，２６〜２９の負極端子にはＰＴＣ（Ｐｏｓｉｔｉｖｅ  Ｔｅｍｐｅｒａｔｕｒｅ  Ｃｏｅｆｆｉｃｉｅｎｔ）素子３１〜３４，３６〜２９がそれぞれ接続されており、また、正負極の各部には、リード４１〜４５が接続されている。リード４１〜４５の他端は、保護回路基板３０に接続されている。
３．第１素電池２１〜２４および第２素電池２６〜２９の各外観構成
第１素電池２１〜２４および第２素電池２６〜２９の各外観構成について、図５（ａ）および図５（ｂ）を用い説明する。なお、図５（ａ）では、第１素電池２１〜２４の内の第１素電池２１だけを図示し、図５（ｂ）では、第２素電池２６〜２９の内の第２素電池２６だけを図示しているが、他の素電池２２〜２４，２７〜２９についても、それぞれ同様の外観構成を有する。
【００３０】
図５（ａ）に示すように、第１素電池２１は、有底角筒状の外装缶２１０と、外装缶２１０の開口を封口する封口板２１１とにより外観が構成されている。封口板２１１からは、Ｘ軸方向左下向きに負極端子２１２が突出している。
第１素電池２１は、その外観におけるＸ軸方向およびＹ軸方向の長さに比べて、Ｚ軸方向の高さＴ11が低くなっている（扁平形）。また、図５（ａ）に示すように、封口板２１１は、突出する負極端子２１２を除いて略平面となっており、封口板２１１に対向する位置関係にある外装缶２１０の外底面２１０ａも外縁部を除いて略平面となっている。
【００３１】
一方、外装缶２１０におけるＹ軸方向両側の側面２１０ｂ，２１０ｃは、各々が外側に凸の曲面を以って構成されている。
図５（ｂ）に示すように、第２素電池２６も、有底角筒状の外装缶２６０と、外装缶２６０の開口を封口する封口板２６１とにより外観が構成されている。封口板２６１からは、Ｘ軸方向左下向きに負極端子２６２が突出している。そして、第２素電池２６についても、その外観におけるＸ軸方向およびＹ軸方向の長さに比べて、Ｚ軸方向の高さ（電池厚み）Ｔ12が低くなっている（扁平形）。また、図５（ｂ）に示すように、封口板２６１は、突出する負極端子２６２を除いて略平面となっており、封口板２６１に対向する位置関係にある外装缶２６０の外底面２６０ａも外縁部を除いて略平面となっている。外装缶２６０におけるＹ軸方向両側の側面２６０ｂ，２６０ｃは、各々が外側に凸の曲面を以って構成されている。
【００３２】
ここで、第１素電池２１の外装における高さＴ１１と、第２素電池２６の外装における高さ（電池厚み）Ｔ12とは、次の関係を満たす。
［数１］Ｔ11＞Ｔ12
なお、本実施の形態において、第１素電池２１〜２４および第２素電池２６〜２９は、一例として、リチウムイオン電池である。
【００３３】
４．外装ケース１０内における素電池２１〜２４，２６〜２９の配置
外装ケース１０内における素電池２１〜２４，２６〜２９の配置形態について、図６および図７を用い説明する。なお、図６および図７では、対をなす第１素電池２１と第２素電池２６の部分を抜き出して図示しているが、他の素電池２２〜２４，２７〜２９の配置形態についても同様である。
【００３４】
図６に示すように、外装ケース１０においては、その内部空間が、領域１０ａに対して領域１０ｂの方がＺ軸方向高さが低く、領域１０ｂに対して領域１０ｃの方がＺ軸方向高さが低くなっている。
次に、第１素電池２１は、外装ケース１０における内部空間の高さが高い領域１０ａに収納され、第２素電池２６は、外装ケース１０における内部空間の高さが低い領域１０ｂに収納されている。図６の矢印Ｂに示すように、第１素電池２１と第２素電池２６とは、曲面を以って構成された側面同士が対向するように配置されている。
【００３５】
図７に示すように、第１素電池２１と第２素電池２６とは、外装缶２１０における側面２１０ｃと外装缶２６０における側面２６０ｂとが対向するようになっている。ここで、第１素電池２１と第２素電池２６とは、絶縁シートをその厚み方向に挟んだ状態で近接している（矢印Ｄ部分）。
このように、曲面を以って構成された側面２１０ｃ，２６０ｂ同士を対向させるように配置することにより、楔形の形状を有する外装ケース１０において、高いスペース効率での素電池２１〜２４，２６〜２９の収容が可能である。
【００３６】
また、図７に示すように、外装枠体１１，１２に窓部を開口し、当該窓部を塞ぐように外装ラベル１３，１４を貼着して外装ケース１０を構成しているので、充放電などにより素電池２１〜２４，２６〜２９に膨れが生じた場合にも、外装ラベル１３，１４の貼着領域で膨れを吸収することができる。よって、外装ケース１０自体に膨れなどの変形を生じ難い。
【００３７】
ここで、第１素電池２１の封口板２１１と第２素電池２６の外装缶２６０の外底面２６０ａとが対向するような配置形態を仮に考えた場合、外装缶の主面と封口板および外底面とのコーナー部分同士の干渉を防ぐために、ある程度の隙間をあける必要がある。このため、楔形の外装ケース１０を採用する場合には、設計に際しての自由度が低くなってしまうという問題を生じることが考えられる。また、封口板および外装缶の外底面は、リードの接続がなされることが多く、そのためのスペースをあけておく必要も生じる。よって、第１素電池２１の封口板２１１と第２素電池２６の外装缶２６０の外底面２６０ａとが対向するような配置形態においては、本実施の形態に係る電池パック１よりもスペース効率が低下する結果となることが考えられる。
【００３８】
一方、本実施の形態に係る電池パック１では、第１素電池２１〜２４と第２素電池２６〜２９とを図６および図７に示すような形態で配置しているので、楔形の外装ケース１０を採用する場合においても高いスペース効率を実現することができる。
５．外装ケース１０内における保護回路基板３０の配置
本実施の形態に係る電池パック１では、図６の矢印Ｃ部分に示すように、保護回路基板３０が外装ケース１０における領域１０ｃの内部空間に収容されている。領域１０ｃは、楔形の外装ケース１０における先端部分（先細り部）にあたる。
【００３９】
図８に示すように、電池パック１においては、保護回路基板３０における板状の基板本体が外装枠体１２の内底面に沿った状態で配置されており、Ｙ軸方向に対して傾いた状態となっている。このため、保護回路基板３０の上側主面３０ａと外装枠体１１の内底面との間の間隔は、Ｙ軸方向の左側部分で間隔Ｈ1、中程部分で間隔Ｈ2、右側部分で間隔Ｈ3となっている。外装枠体１１の内底面と保護回路基板３０の上側主面３０ａとの間の空間１０ｊには、実際には保護回路基板３０に実装された電子部品が配されることになる（図示を省略）。よって、保護回路基板３０に実装されている電子部品については、間隔Ｈ1，Ｈ2，Ｈ3を予め考慮して配置が決定されている。
【００４０】
具体的には、保護回路基板３０に実装される電子部品の内、背の高い部品はＹ軸方向右側に選択的に配置し、背の低い部品はＹ軸方向左側に選択的に配置する。
また、図８に示すように、外装ケース１０においては、素電池２１〜２４，２６〜２９が収容される領域と、保護回路基板３０が収容される領域との間に、仕切り壁１２ａが立設されている。立壁１２ａは、素電池２１〜２４，２６〜２９と保護回路基板３０との間を結ぶリード４１〜４５（図４を参照）が通過できる隙間を外装枠体１１の内底面との間に残した高さで設けられている。
【００４１】
このような仕切り壁１２ａを設けることで、仮に素電池２１〜２４，２６〜２９で電解液の漏れが生じたような場合にあっても、保護回路基板３０を液から保護することができ、高い安全性を確保することができる。
なお、電池パック１では、図３に示すように、保護回路基板３０の長手方向をＸ軸方向としているので、これからも高いスペース効率の確保がなされる。
【００４２】
［実施の形態２］
本発明の実施の形態２に係る電池パック２の構成について、図９を用い説明する。図９は、上記実施の形態１の図６に対応する模式断面図である。
図９に示すように、外装ケース６０が外装枠体６１，６２と外装ラベルを含む構成であるところは上記実施の形態１と同様である。そして、外装ケース６０においても、Ｙ軸方向右側から左側に向けて、領域６０ｋ，６０ａ，６０ｂ，６０ｃの順に内部空間の高さが低くなってゆく構成である。
【００４３】
外装ケース６０における領域６０ａには、第１素電池２１〜２４（図９では、第１素電池２２〜２４の図示を省略）が収容され、領域６０ｂには、第２素電池２６〜２９（図９では、第２素電池２７〜２９の図示を省略）が収容されている。また、領域６０ｃには、保護回路基板６０ｃが収容されている。
さらに、本実施の形態に係る電池パック２では、Ｙ軸方向の最も右側の部分（矢印Ｅ部分）の領域６０ｋに、第３素電池７１が収容されている。図９では、一つの第３素電池７１だけを図示しているが、第１素電池２１〜２４および第２素電池２６〜２９と同じ数が収容されている。第３素電池７１は、円筒形の電池であって、例えば、リチウムイオン電池である。そして、第３素電池７１の断面径は、図９に示すように、第１素電池２１および第２素電池２６の高さ（電池厚み）よりも大きい。
【００４４】
以上のような構成の電池パック２においても、素電池同士が曲面を以って構成された側面（側周面）が対向するように配置されており、上記実施の形態１に係る電池パック１と同様の効果を奏することができる。
また、図９における矢印Ｆ部分を拡大して示す図１０のように、本実施の形態では、保護回路基板８０をＺ軸方向上側の外装枠体６１の内底面に沿うように配置している。このため、保護回路基板８０のＹ軸方向幅を広くとるという観点では、上記実施の形態１よりも若干不利ではあるが、保護回路基板８０をＺ軸方向下側の外装枠体６２との間の空間６０ｊに電子部品を収容するに際して、互いに間の高さＨ4，Ｈ5，Ｈ6と実装する電子部品の高さとを考慮して実装レイアウトを決定する点では同じである。
【００４５】
［その他の事項］
上記実施の形態１，２では、素電池の種類としてリチウムイオン電池を採用したが、電池種類はこれに限定されるものではない。例えば、ニッケルカドミウム電池やニッケル水素電池などのアルカリ電池を採用することもできる。
また、上記実施の形態１では、８つの扁平角形電池を素電池２１〜２４，２６〜２９として備える構成を一例として採用し、上記実施の形態２では、さらに円筒形電池を第３素電池７１として備える構成を採用したが、備える電池の数については、これに限定されるものではない。
【００４６】
例えば、７つ以下の素電池を備える構成を採用することもできるし、１３個以上の素電池を備える構成とすることもできる。また、組み合わせ形態については、直列配置された複数の扁平角形電池と、これに並設された複数の円筒形電池との組み合わせとすることもできる。
さらに、円筒形電池の断面径が角形電池の電池厚みよりも大きい場合には、図９に示す形態とは逆、即ち、角形電池よりもＹ軸方向左側に円筒形電池を収容することもできる。
【００４７】
また、上記実施の形態１，２では、外装ケース１０，６０において、外装枠体１１，１２，６１，６２と外装ラベル１３，１４との組み合わせを以ってケース部材を各々構成することとしたが、これに限定を受けるものではない。例えば、外装ラベルをケース部材の一要素にせず、樹脂製のケース部材だけで収納空間を構成することとしてもよい。
また、素電池としてラミネート外装体を有する電池を採用することもできる。この場合においても、外装体の外縁部の対向する２つの外縁部について、曲面形状に加工することで、上記同様に採用することができる。
【産業上の利用可能性】
【００４８】
本発明は、機能性およびデザイン性に優れた機器への装着に適するとともに、スペース効率が高い電池パックを実現するのに有用である。
【符号の説明】
【００４９】
１，２．電池パック
１０，６０．外装ケース
１１，１２，６１，６２．外装枠体
１２ａ．仕切り壁
１３，１４．外装ラベル
２０．第１素電池群
２１〜２４．第１素電池
２５．第２素電池群
２６〜２９．第２素電池
３０，８０．保護回路基板
３１〜３４，３６〜３９．ＰＴＣ素子
４１〜４５．リード
７１．第３素電池
２１０，２６０．外装缶
２１０ｂ，２１０ｃ，２６０ｂ，２６０ｃ．側面
２１１，２６１．封口板
２１２，２６２．負極端子
【図１】
2014078430.tif 000003
【図２】
2014078430.tif 000004
【図３】
2014078430.tif 000005
【図４】
2014078430.tif 000006
【図５】
2014078430.tif 000007
【図６】
2014078430.tif 000008
【図７】
2014078430.tif 000009
【図８】
2014078430.tif 000010
【図９】
2014078430.tif 000011
【図１０】
2014078430.tif 000012